(57)【特許請求の範囲】
【請求項１】
少なくとも二つの区間（２、３、４、５、６）と、前記区間（２、３、４、５、６）間に配置されかつ人および物体を一つの区間から他の区間へ運搬することを可能にする移行装置（１０）とを備えた人用のコンベヤベルト（１）であって、
前記少なくとも二つの区間の各々が、リブ（１２、１５）をもつベルト（１１、１４）とホイール（１３、１６）とを含んでおり、
前記移行装置（１０）が、運搬される人のあらゆるサイズの靴（１７）および物体を一つの区間から他の区間へと運ぶローラ状の要素（２０、２０．１１、３６、３７）を具備しており、
前記移行装置（１０）は、凹部（１９）を有する支持体（１８）を含み、該凹部に、駆動可能な櫛状ローラ（２０、２０．１１）が少なくとも一つ配置されており、
支持体（１８）には、複数のシリンダローラ（３６）を有する入口側の櫛状部（３０）が少なくとも一つ、前記区間の一つにおけるベルトのリブと歯合するように櫛状ローラ（２０、２０．１１）の入口側に配置され、かつ複数のシリンダローラ（３７）を有する出口側の櫛状部（３１）が少なくとも一つ、前記区間の他の一つにおけるベルトのリブと歯合するように櫛状ローラ（２０、２０．１１）の出口側に配置され、これらの入口側および出口側の櫛状部（３０、３１）の各々が、運搬方向に対して横方向に変位可能であるように、ベルト（１１、１４）の側壁に沿って転がる少なくとも一つのガイドローラ（３４、３５）に接続されていることを特徴とする前記コンベヤベルト。
【請求項２】
前記櫛状ローラ（２０、２０．１１）に歯合する第一の櫛状部（２５）および第二の櫛状部（２７）が設けられており、複数のシリンダローラ（３６）を有する入口側の櫛状部（３０）が第一の櫛状部（２５）に対して変位可能であり、複数のシリンダローラ（３７）を有する出口側の櫛状部（３１）が第二の櫛状部（２７）に対して変位可能であることを特徴とする請求項１に記載の人用のコンベヤベルト。
【請求項３】
入口側の櫛状部（３０）が、支持体（１８）の案内部（３２）により、入口側で運搬方向に対して横方向に変位可能であり、出口側の櫛状部（３１）が、支持体（１８）の案内部（３３）により、出口側で運搬方向に対して横方向に変位可能であることを特徴とする請求項１または２に記載の人用のコンベヤベルト。
【請求項４】
駆動される櫛状ローラ（２０、２０．１１）が一つの区間（４）の速度と他の区間（５）の速度との間のある速度で回転することを特徴とする請求項１から３のいずれか一項に記載の人用のコンベヤベルト。
【請求項５】
前記移行装置（１０）が入口側区間に向かって傾斜していることを特徴とする請求項１から４のいずれか一項に記載の人用のコンベヤベルト。
【発明の詳細な説明】
【０００１】
【発明の属する技術分野】
本発明は、少なくとも二つの区間と、同区間間に配置され、人および物体の一つの区間から他の区間への運搬を可能にする移行装置とにより構成する人用コンベヤベルトに関する。
【０００２】
【従来の技術】
加速部と減速部を有し、速度ゼロの状態から人用のコンベヤベルトの公称運搬速度への移行および逆に運搬速度から速度ゼロ状態への移行克服を可能にするコンベヤベルトはドイツ公開特許公報ＤＥ２８２７２４９号によって知られている。成形部品がこれらの部分の間の連続運搬面を形成し、成形部品の中実領域と中空領域とをこれらの部分のコンベアベルトの溝またはリブに係合させる。
【０００３】
二つの隣り合う部分の架橋に必要な成形部品は、たとえば子供靴または婦人靴の先細のヒールといった小さな靴のサイズが成形部品上に余地を見出すほどのサイズのものである。従って運搬される人の動きがこの成形部品のところで妨げられるので、事故を起こす危険性がかなりある。
【０００４】
【発明が解決しようとする課題】
本発明はこの問題に対する解決策を提供するものである。本発明は、請求項１の特徴の通り、公知の装置の欠点を回避する目的と、少なくとも二つの区間により構成する人用のコンベヤベルトで用いる、運搬される人と物体を一つの区間から他の区間へと妨げ無く導くことのできる移行装置を提供する目的に適うものである。
【０００５】
本発明の長所は要するに、早められた速度の区間を区間のつなぎ目で運搬される人にとって安全に移動できる点にある。本発明の移行装置により、あらゆるサイズの靴と物体をこの移行装置において穏やかに移行できるので、人用のコンベヤベルトの加速部と減速部において、区間間の速度差を運搬される人にとって危険なく大きくすることができる。
【０００６】
以下に本発明を図面を参照してさらに詳細に説明するが、図面は一実施例を示すにすぎない。
【０００７】
【発明の実施の形態】
図１から図５において、符号１は、第一の区間２、第二の区間３、第三の区間４、第四の区間５および第五の区間６を含む人用コンベヤベルトを示す。第一の区間２および第二の区間３は加速部７を形成し、この加速部で、運搬される人および物体が、人がコンベヤベルト１に乗る際に支障のない低い初速度から、第三の区間４により形成する主要部８の一定の運搬速度へと加速される。主要部８の先に第四の区間５および第五の区間６により形成する減速部９が接続され、この減速部では運搬される人および物体が運搬速度から人がコンベヤベルト１を降りる際に支障のない、低い終速度に減速される。移行装置１０は区間のつなぎ目毎に各々配置し、それによって人を安全に一つの区間から次の区間へと導く。人用コンベヤベルト１は等速度で運転するいくつかの区間により構成することもできる。
【０００８】
図２は、図１に示す人用コンベヤベルト１のＡ部の詳細図であり、第一のリブ１２を伴う第一のベルト１１および第一のデフレクションホイール１３により構成する第三の区間４が移行装置１０に進み込み、第二のリブ１５を伴う第二のベルト１４および第二のデフレクションホイール１６により構成する第四の区間５が移行装置１０から進み出る。方向Ｔに運搬される人の靴を符号１７で示す。図２は第三の区間４および第四の区間５間の移行装置１０を示す。移行装置１０の支持体１８は区間の幅方向に延伸し、同支持体の凹部１９に第一の櫛状ローラ２０および、図４に示すように、第二の櫛状ローラ２０．１１を配置する。第一の櫛状ローラ２０には第一のディスク２１を設け、第二の櫛状ローラ２０．１１には第二のディスク２１．１１を設け、両櫛状ローラは第三の区間４の速度と第四の区間５の速度との間のある速度で駆動され回転する。
【０００９】
図３および図５は、第一の櫛状ローラ２０または第二の櫛状ローラ２０．１１の駆動部の一例を示す。歯付きベルト１６．３を駆動する第一の歯車１６．２を第二のデフレクションホイール１６の第一の軸１６．１に配置する。歯付きベルト１６．３の運動は第一の櫛状ローラ２０の第二の軸２０．１に配置した第二の歯車２０．２に伝達される。第二の軸２０．１に第三の歯車２０．３を配置し、これを別の歯付きベルト１６．４により第二の櫛状ローラ２０．１１の第三の軸２０．５の第四の歯車２０．４に接続する。
【００１０】
軸受２２により保持するピン２３により第一の櫛状ローラ２０または第二の櫛状ローラ２０．１１をディスク２１またはディスク２１．１１でそれぞれ支持する。支持体１８に第一のねじ２４により固定した第二の櫛状部２５を第三の区間４の側部に配置し、支持体１８に第二のねじ２６により固定した第三の櫛状部２７を第四の区間５の側部に配置する。櫛状部２５、２７は一方で第一の櫛状ローラ２０の第一のディスク２１または第二の櫛状ローラ２０．１１の第二のディスク２１．１１と歯合し、他方でその端面２８、２９により各々第一の櫛状部３０および第四の櫛状部３１のスライド・ベアリングの役割を果たす。ベルト側では、櫛状部３０、３１は第一のリブ１２および第二のリブ１５にそれぞれ歯合する。櫛状部３０、３１はまた、櫛状部２５、２７の端面２８、２９のところに加え、あり溝３２、３３に変位可能に支持される。
【００１１】
側部では、櫛状部３０、３１は各々少なくとも一つのガイドローラ３４、３５に接続され、ガイドローラはベルト１１、１４の側壁で回転し、したがって櫛状部３０、３１はリブ１２、１５の運搬方向を横切る方向での瞬時位置に追尾する。
【００１２】
図２および図４に示すように、靴１７は入口側で第一のベルト１１から、回転可能な第一のシリンダローラ３６等を設けた第一の櫛状部３０へと押され、さらに第一の櫛状ローラ２０または第二の櫛状ローラ２０．１１へと押される。駆動された第一の櫛状ローラ２０および第二の櫛状ローラ２０．１１は靴１７を出口側でさらに、回転可能な第二のシリンダローラ３７等を設けた第四の櫛状部３１へ、かつさらに第二のベルト１４へと押し、第二のベルトは靴１７を第二のシリンダローラ３７から引き離す。第一のベルト１１と第一の櫛状ローラ２０または第二の櫛状ローラ２０．１１との間の間隔はきわめて小さく、子供の靴１７でも第一のベルト１１を離れる前に第一の櫛状ローラ２０または第二の櫛状ローラ２０．１１により進ませられる。子供の靴は少なくとも第二のベルト１４に達するまでは第一の櫛状ローラ２０または第二の櫛状ローラ２０．１１により進ませられる。
【００１３】
移行装置１０がさらに長い場合には、シリンダローラ３６、３７も駆動し、第一の櫛状ローラ２０または第二の櫛状ローラ２０．１１のように能動的に靴１７を運搬する。シリンダローラ３６、３７は第二の櫛状部２５および第三の櫛状部２７にも配置することができる。
【００１４】
移行装置１０は第一のベルト１１に対してわずかに傾斜し、第一の櫛状部３０が第四の櫛状部３１より幾分低くなるように配置する。
【００１５】
かみ合わせ可能なリブがベルトに付いてない場合にも、移行装置１０の傾斜した配置は移行装置１０の入口におけるジャミングのリスクを減少する。本実施例に示すベルトの場合には、移行装置１０を水平に配置し、第二のベルト１４の表面を第一のベルト１１の表面と同じ高さとすることもできる。
【図面の簡単な説明】
【図１】いくつかの区間と、加速部、定速部、および減速部とから成る人用コンベヤベルトを示す図である。
【図２】図３のＢ−Ｂ線断面および二つの区間間の、本発明による移行装置の断面図である。
【図３】前記移行装置の平面図である。
【図４】図５のＢ−Ｂ線断面および二つの櫛状ローラを備えた本発明による移行装置の断面図である。
【図５】図４の移行装置の平面図である。
【符号の説明】
１  コンベヤベルト
２  第一の区間
３  第二の区間
４  第三の区間
５  第四の区間
６  第五の区間
７  加速部
８  主要部
９  減速部
１０  移行装置
【図１】
0004073529.tif 000002
【図２】
0004073529.tif 000003
【図３】
0004073529.tif 000004
【図４】
0004073529.tif 000005
【図５】
0004073529.tif 000006